(57)【要約】【課題】ひとつのワンタッチ式ロールペーパーホルダーで、ペーパーを差し入れたり、引き出したりする方向を少なくとも前後方向と上下方向の２段階の変更が可能なロールペーパーホルダーを提供すること。【解決手段】壁面に固定される固定部１と、固定部１の両側に取り付けられる一対の腕部２、２と、腕部２、２の先端の内側に左右対象的に付設されるペーパーａの筒芯ｂと係合するペーパー保持部材３、３とを少なくとも備えるものであって、一対の腕部２、２は、前後方向又は上下方向に移動するペーパーａで先端側が互いに離れる方向に揺動自在であるペーパーホルダー１０。【選択図】        図３
2004261480.tif 000002
【特許請求の範囲】
【請求項１】
壁面に固定される固定部と、該固定部の両側に取り付けられる一対の腕部と、該腕部の先端の内側に左右対象的に付設されるペーパーの筒芯と係合するペーパー保持部材とを少なくとも備えるものであって、該一対の腕部は、前後方向又は上下方向に移動するペーパーで先端側が互いに離れる方向に揺動自在であることを特徴とするペーパーホルダー。
【請求項２】
前記ペーパー保持部材は、その先端断面形状が正面視矩形状、平面視先端尖り状であって、該腕部との嵌合形態はペーパーの出し入れによって該腕部との固定関係は変化せず、手動によって回動自在又は着脱自在であることを特徴とする請求項１記載のペーパーホルダー。
【請求項３】
前記固定部の上面に取り付けられ、ペーパーの横方向の動きを規制する両側板を有する紙切り板を、更に備えることを特徴とする請求項１又は２記載のペーパーホルダー。
【発明の詳細な説明】
【０００１】
【発明の属する技術分野】
本発明は、トイレで使用するワンタッチ式のペーパーホルダーに関するものである。
【０００２】
【従来の技術】
トイレに付設されるロールペーパーホルダーとして、ロール状のペーパーをワンタッチで着脱できるように、ペーパーの筒芯を左右両側から支持する一対の保持部材が上方向に揺動可能にしたものがある。このペーパーホルダーは、トイレットペーパーをホルダーの下から差し入れると、該ペーパーに押されて両ペーパー保持部材が真上に揺動待機し、両ペーパー保持部材部分にその筒芯の空間が来ると、両ペーパー保持部材が再び元に戻り、トイレットペーパーを保持するものである。また、該ペーパー又は筒芯を取り出す場合、そのまま該ペーパー等を上に引き上げれば、両ペーパー保持部材が真上に揺動待機し、そのペーパー等を簡単に取り出すことができる。
【０００３】
このように、ペーパーをペーパーホルダーの下から差し入れて、上から取り出す方法は、該ペーパーホルダーの上方部分にスペースを確保する必要があり、トイレにデッドスペースをつくるという問題がある。これを解決するものとして、特許文献１の特開平９−２１５６２８号公報には、ペーパー保持部材が前後に移動するペーパー保持部材で出没し、該ペーパーの筒芯と係合するトイレのペーパーホルダーが開示されている。このペーパーホルダーは該ペーパーホルダーの上方部分にスペースを確保する必要がないものの、ペーパーホルダーを使用分引き出す際、ペーパー保持部材が揺動して支持しているロールペーパーが両保持部材から外れないよう、上方向へ揺動する保持部材に比べ、保持部材の付勢力が大きくなるという問題がある。これを解決するものとして、特許文献２の特開２０００−１３５１７６号公報には、ペーパー保持部材が上方前方に傾斜して離れる方向に揺動可能であるペーパーホルダーが開示されている。このペーパーホルダーによれば、上方にデッドスペースを生じることなく、ロールペーパーの着脱にさほどの力を要することない。
【０００４】
【特許文献１】
特開平９−２１５６２８号公報（請求項１）
【特許文献２】
特開２０００−１３５１７６号公報（請求項１）
【０００５】
【発明が解決しようとする課題】
このように、従来のトイレ用ロールペーパーホルダーは、一対の両側部材が固定であり、ペーパー保持部材の揺動方向を前後方向、上下方向あるいは上方前方向のいずれかに限定するものであった。このため、トイレの空間、使用状況、顧客の要望に応じた設計変更ができないという問題があった。
【０００６】
従って、本発明の目的は、ひとつのワンタッチ式ロールペーパーホルダーで、ペーパーを差し入れたり、引き出したりする方向を少なくとも前後方向と上下方向の２段階の変更が可能なロールペーパーホルダーを提供することにある。
【０００７】
【課題を解決するための手段】
かかる実情において、本発明者は鋭意検討を行った結果、揺動する部材を、従来のペーパー保持部材ではなく、両側の腕部とし、該腕部を前後方向又は上下方向に移動するペーパーで先端側が互いに離れる方向に揺動自在とすれば、ひとつのワンタッチ式ロールペーパーホルダーで、ペーパー（以下、ロールペーパーとも言う）を差し入れたり、引き出したりする方向を少なくとも前後方向と上下方向の２段階で使用することができること等を見出し、本発明を完成するに至った。
【０００８】
すなわち、本発明（１）は、壁面に固定される固定部と、該固定部の両側に取り付けられる一対の腕部と、該腕部の先端の内側に左右対象的に付設されるペーパーの筒芯と係合するペーパー保持部材とを少なくとも備えるものであって、該一対の腕部は、前後方向又は上下方向に移動するペーパーで先端側が互いに離れる方向に揺動自在であるペーパーホルダーを提供するものである。本発明によれば、一対の腕部が先端側が互いに離れる方向に揺動自在であるため、ペーパー保持部材を適宜の形状に選定することで、ひとつのワンタッチ式ロールペーパーホルダーで、ペーパーを差し入れたり、引き出したりする方向を少なくとも前後方向と上下方向の２段階で使用することができる。
【０００９】
本発明（２）は、前記ペーパー保持部材は、その先端形状が正面視矩形状、平面視先端尖り状であって、該腕部との嵌合形態はペーパーの出し入れによって該腕部との固定関係は変化せず、手動によって回動自在又は着脱自在である前記ペーパーホルダーを提供するものである。本発明によれば、ペーパー保持部材を、その先端断面形状が正面視矩形状、平面視先端尖り状となる位置で腕部に嵌合すれば、ペーパーを前後方向に差し入れ、抜き取りができる。また、手で一対のペーパー保持部材を腕部から外し、共に鉛直面内で９０度回転させて、再び腕部に嵌合させれば、ペーパーを上下方向に差し入れ、抜き取りができる。
【００１０】
また、本発明（３）は、前記固定部の上面に取り付けられ、ペーパーの横方向の動きを規制する両側板を有する紙切り板を、更に備える前記ペーパーホルダーを提供するものである。本発明によれば、特に、ペーパーを前後方向に差し入れ、抜き取りする使用形態において、使用分のペーパーを紙切りする際、横方向の力が作用しても、該紙切り板の両側にある側板がペーパーの横方向への移動を規制するため、腕部が揺動して該ペーパーが抜け落ちることがない。
【００１１】
【発明の実施の形態】
次に、本発明の実施の形態におけるペーパーホルダーを図１〜図１０を参照して説明する。図１は本実施の形態例のペーパーホルダーの全体を示す斜視図、図２は本実施の形態例のペーパーホルダーの分解図、図３は本実施の形態例のペーパーホルダーの第１の使用形態を説明する図、図４は本実施の形態例のペーパーホルダーにペーパーを装着した図、図５及び図６は本実施の形態例のペーパーホルダーの腕部の揺動状態を説明する裏側から見た一部の拡大図、図７及び図８は本実施の形態例のペーパーホルダーにおいて、第１の使用形態から第２の使用状態へ変更する方法を説明する図、図９及び図１０は本実施の形態例のペーパーホルダーの第２の使用形態を説明する図である。なお、図５及び図６は意匠ケースの装着を省略した状態における図である。
【００１２】
ペーパーホルダー１０は、壁面に固定される固定部１と、固定部１の両側に取り付けられる一対の腕部２、２と、腕部２、２の先端の内側に左右対象的に付設されるペーパーａの筒芯ｂと係合するペーパー保持部材３、３と、固定部の上面に取り付けられた紙切り板４を備えるものであって、自由状態においては図１に示すように、固定部１と一対の腕部２、２とで、平面視略コ字形状を形成している。
【００１３】
ペーパーホルダー１０において、固定部１は壁面に固定するビス穴１３、１４を有するやや横長平板状であって、裏面両側にトーションバネ５の他端部５１を支持する第２溝１８１を有する固定本体部１１と、固定本体部１１の上方にあって紙切り板４を揺動可能に支持する係合溝１２１を備える紙切り板係合部１２と、固定本体部１１の左右両側にあって一対の腕部２、２を支持する上下一対の軸孔１６１を有する軸支持部１６、１６とを備える。なお、固定部本体１１と軸支持部１６の連接部分は腕部２の内側付勢を規制する軸孔１６１よりやや前方に突出する突出壁１５を備えている。また、軸支持部１６、１６には、インナーアーム２２、２２の揺動をガイドする楔形状部１７、１７をその前方に備える。
【００１４】
左右一対の腕部２は、意匠ケース２１と、意匠ケース２１に全体が収納されるインナーアーム２２とから構成される。インナーアーム２２は、上下一対の軸孔２２１を備える枢支部２２２と、トーションバネ５の一端部５２を支持する第１溝２２３を有する本体部２３と、内側面にペーパー保持部材３の係合筒部３４と嵌合する嵌合孔２２５を備える。意匠ケース２１は、インナーアーム２２を収納し、ピン６の脱落を規制すると共に、ペーパー保持部材３を嵌合するケースであり、その先端の内側面にはペーパー保持部材３の４つの爪３３ａ、３３ｂ、３３ｃ及び３３ｄが嵌合する嵌合孔２６ａ、２６ｂ、２６ｃ及び２６ｄと、ペーパー保持部材３の係合筒部３４を通す貫通穴２７を備える。すなわち、固定本体部１１に組み込まれたインナーアーム２２に対して、意匠ケース２１を組み込めばピン６の脱落を防止すると共に、インナーアーム２２の嵌合孔２２５とペーパー保持部材３の貫通穴２７が一致する。この状態でペーパー保持部材３の係合筒部３４をペーパー保持部材３の貫通穴２７を貫通して、インナーケース２２の嵌合孔２２５に挿入すると共に、４つの爪３３ａ、３３ｂ、３３ｃ及び３３ｄを４つの嵌合孔２６ａ、２６ｂ、２６ｃ及び２６ｄに嵌めれば、意匠ケース２１をインナーアーム２２に固定できると共に、ペーパー保持部材３を意匠ケース２１に固定できる。
【００１５】
左右一対のインナーアーム２２は、固定部本体１１の上下一対の軸支持部１６、１６にピン６を介して枢支され、トーションバネ６及び突出壁１５によって自由状態において、固定部本体１１に対して直角方向の起立状態とされる。また、左右一対の腕部２はロールペーパーａが挿入される程度の作用力を受けると、トーションバネ５の付勢力に抗してその先端部が互いに離れる方向、すなわち図３に示す矢印Ａの方向に動く。この場合、開き過ぎを防止するため、開度規制手段１９を備える。開度規制手段１９は、固定部本体１１の軸支持部１６における軸孔１６１の中心から固定部本体１１の端部１８までの長さ（図５中、符号ｘで表される隙間）を、インナーアーム２２の枢支部２２２の軸孔２２１の中心から枢支部２２２の膨らみ部２５の先端までの長さ（図５中、符号ｙで表される隙間）より短くすることで達成するものである。すなわち、開度規制手段１９は固定本体部の端部１８と、インナーアーム２２の枢支部２２２の膨らみ部２５の当接で行なわれる。自由状態では、固定本体部の端部１８と、膨らみ部２５の間には若干の隙間（図５中、符号ｚで表される隙間）があるものの、腕部２が開くにつれて、この隙間が小さくなり、遂には両者が当接してそれ以上開くことを規制する。
【００１６】
本発明のペーパーホルダーにおいて、ペーパー保持部材３は、ペーパーａの移動により一対の腕部２、２が固定部側を基点として互いに離れる方向に揺動自在となるように作用するものであれば、特に制限されず、本例のペーパー保持部材３は、基板３２の先端断面形状が正面視矩形状、平面視先端尖り状の突起３１であって、基板３２の裏面には、等間隔で配設される４つの爪３３ａ、３３ｂ、３３ｃを備える。ペーパー保持部材３は４つの爪３３ａ、３３ｂ、３３ｃを意匠ケース２１の嵌合孔２６ａ、２６ｂ、２６ｃ及び２６ｄに嵌合させることで腕部２に取り付けられる。この嵌合強さはペーパーａの出し入れによって腕部２との固定関係は変化せず、手動によって着脱できる強さである。従って、ペーパー保持部材３を手で取り外し、鉛直面に対して９０度回転させ、再度腕部２に嵌合すれば、先端断面形状が正面視先端尖り状、平面視矩形状の突起とすることができる。また、ペーパー保持部材３は、上記実施の形態例の他、その嵌合形態をペーパー保持部材側の環状突起と、腕部側の環状溝との手動による回動自在の嵌合とすることができる。
【００１７】
紙切り板４は、フード状の紙切り板本体部４１と、固定部本体１１の上面の係合溝１２１に回動自在に取り付けられる枢支軸４２と、ペーパーの横方向の動きを規制する両側板４３、４３から構成される。紙切り板４を固定部本体１１の上面の係合溝１２１に係合させた後は、係合が外れることを防止するため、係合部材７が係合溝１２１に嵌め込まれる。
【００１８】
次に、本実施の形態におけるペーパーホルダー１０の組み付け例を示す。先ず、インナーアーム２２の枢支部２２２間に一端部５１と他端部５２の平面視形状がＶ字状のトーションバネ５を入れ込み、この状態で、固定本体部１１の軸支持部１６間に入れ、一端部５１を固定本体部１１の裏面の第２溝１８１に嵌め、他端部５２をインナーアーム２２の外側面の第１溝２２３に嵌める。次いで上方又は下方からピン６を一方の軸孔１６１、一方の軸孔２２１、トーションバネ５の中空部、他方の軸孔２２１及び他方の軸孔１６１のそれぞれの孔に通す。この際、ピン６の脱落を防止するため、手で下方を支えつつ意匠ケース２１を差し込み、固定部本体１１の両側にインナーアーム２２を取り付ける。次いで、意匠ケース２１の先端にペーパー保持部材３を嵌め、腕部２にペーパー保持部材３を固定すると共に、意匠ケース２１がインナーアーム２２から外れないようにする。次いで、紙切り板４を固定本体部１１の上方に取り付け、組み付けを完了する（図１）。次いで、この組み付け体はトイレの垂直壁面等にネジ止め等にて固定される。
【００１９】
次に、本実施の形態例のペーパーホルダー１０の使用形態について説明する。
第１の使用形態は、ロールペーパーａを前後方向に差し入れ、引き出しする方法であり、第２の使用形態は、ロールペーパーａを上下方向に差し入れ、引き出しする方法である。第１の使用形態において、ペーパー保持部材３は、図１〜図４に示すように、その先端形状が正面視矩形状、平面視先端尖り状である。この場合、ロールペーパーａを前方からペーパーホルダー１０に差し込めば、ロールペーパーａがペーパー保持部材３の前方の第１滑り面３６、３６に当たり、腕部２、２を両側に押出す（図３）。そして、一対の腕部２、２は、トーションバネ５のバネ付勢に抗して両側に開き待機して、ペーパー保持部材３部分にその筒芯ｂが来ると、一対の腕部２、２が再び戻り、ロールペーパーａを保持する。そして、紙切り板４を降ろせば設置が完了する（図４）。
【００２０】
次に、第１の使用形態から第２の使用形態に変更する場合を説明する。図４の第１の使用形態で設置された状態において、ロールペーパーａが引き出される。
この場合、ロールペーパーａがペーパー保持部材３の後方の第２滑り面３７、３７に当たり、腕部２、２を両側に押出す。そして、一対の腕部２、２は、トーションバネ５のバネ付勢に抗して両側に開き待機して、ペーパー保持部材３部分からロールペーパーａが外れ、一対の腕部２、２が再び戻り、図１に示すようなペーパーが空の状態となる。
【００２１】
次いで、ペーパー保持部材３を指で摘んで引抜くことで、腕部２から取り外す（図７）。次いでペーパー保持部材３を鉛直面に沿った方向に９０度回動させると、第１滑り面３６が上方側に、第２滑り面３７が下方側に位置することになる（図８）。そして、この姿勢にあるペーパー保持部材３の４つの爪３３ａ、３３ｂ、３３ｃ及び３３ｄを、それぞれ対向する腕部２の嵌合孔２６ａ、２６ｂ、２６ｃ及び２６ｄに嵌め込めば、第２の使用形態が適用できる状態となる（図９）。
【００２２】
第２の使用形態において、ペーパー保持部材３は、図９〜図１０に示すように、その先端断面形状が正面視先端尖り状、平面視矩形状である。この場合、ロールペーパーａを下方からペーパーホルダー１０に差し込めば、ロールペーパーａがペーパー保持部材３の下方の第２滑り面３７、３７に当たり、腕部２、２を両側に押出す。そして、一対の腕部２、２は、トーションバネ５のバネ付勢に抗して両側に開き待機して、ペーパー保持部材３部分にその筒芯ｂが来ると、一対の腕部２、２が再び戻り、ロールペーパーａを保持する。そして、紙切り板４を降ろせば設置が完了する（不図示）。
【００２３】
次に、第２の使用形態から第１の使用形態に変更する場合を説明する。第２の使用形態で設置された状態において、ロールペーパーａが引き上げられる。この場合、ロールペーパーａがペーパー保持部材３の下方の第２滑り面３７、３７に当たり、腕部２、２を両側に押出す。そして、一対の腕部２、２は、トーションバネ５のバネ付勢に抗して両側に開き待機して、ペーパー保持部材３部分からロールペーパーａが外れ、一対の腕部２、２が再び戻り、ペーパーが空の状態となる。
【００２４】
なお、第２の使用形態におけるロールペーパーａの差し入れ、引き抜く方法としては、上記下方から差し入れ、上方へ引き抜く方法に限定されず、例えば下方から差し入れ、下方から引き抜く方法、上方から差し入れ、下方又は上方へ引き抜く方法を適用することができる。
【００２５】
第１の使用形態及び第２の使用形態のいずれの場合においても、例えば使用分のペーパーを紙切りする際、横方向の力が作用しても、紙切り板４の両側に設けられた両側板４３、４３がペーパーａの横方向への移動を規制するため、腕部２、２が揺動してペーパーａが抜け落ちるようなことがない。
【００２６】
【発明の効果】
本発明によれば、一対の腕部が先端側が互いに離れる方向に揺動自在であるため、ペーパー保持部材を適宜の形状に選定することで、ひとつのワンタッチ式ロールペーパーホルダーで、ペーパーを差し入れたり、引き出したりする方向を少なくとも前後方向と上下方向の２段階で使用することができる。
また、本発明によれば、ペーパー保持部材を、その先端断面形状が正面視矩形状、平面視先端尖り状となる位置で腕部に嵌合すれば、ペーパーを前後方向に差し入れ、抜き取りができる。また、手で一対のペーパー保持部材を腕部から外し、共に鉛直面内で９０度回転させて、再び腕部に嵌合させれば、ペーパーを上下方向に差し入れ、抜き取りができる。
また、本発明によれば、特に、ペーパーを前後方向に差し入れ、抜き取りする使用形態において、使用分のペーパーを紙切りする際、横方向の力が作用しても、該紙切り板の両側板が横方向への移動を規制するため、腕部が揺動して該ペーパーが抜け落ちることがない。
【図面の簡単な説明】
【図１】本実施の形態例のペーパーホルダーの全体を示す斜視図である。
【図２】本実施の形態例のペーパーホルダーの分解図である。
【図３】本実施の形態例のペーパーホルダーの第１の使用形態を説明する図である。
【図４】本実施の形態例のペーパーホルダーにペーパーを装着した図である。
【図５】本実施の形態例のペーパーホルダーの腕部の揺動状態を説明する裏側から見た一部の拡大図である。
【図６】本実施の形態例のペーパーホルダーの腕部の揺動状態を説明する裏側から見た他の一部の拡大図である。
【図７】本実施の形態例のペーパーホルダーにおいて、第１の使用形態から第２の使用状態へ変更する方法を説明する図である。
【図８】本実施の形態例のペーパーホルダーにおいて、第１の使用形態から第２の使用状態へ変更する方法を説明する他の図である。
【図９】本実施の形態例のペーパーホルダーの第２の使用形態を説明する図である。
【図１０】本実施の形態例のペーパーホルダーの第２の使用形態を説明する他の図である。
【符号の説明】
１        固定部
２        腕部
３        ペーパー保持部材
４        紙切り板
５        トーションバネ
６        ピン
１０      ペーパーホルダー
１１      固定本体部
１２      紙切り板係合部
１３、１４  ビス穴
１６      軸支持部
１７      楔形状部
２１      意匠ケース
２２      インナーアーム
２３      本体部
２６ａ、２６ｂ、２６ｃ、２６ｄ    嵌合孔
２７      貫通穴
３３ａ、３３ｂ、３３ｃ、３３ｄ      爪
３４      ペーパー保持部材の係合筒部
４１          紙切り板本体部
５１      トーションバネの他端部
１２１    係合溝
１６１    軸孔
１８１    第２溝
２２１    上下一対の軸孔
２２２    枢支部
２２３    第１溝
２２５    嵌合孔
ａ        ロールペーパーａ
ｂ        筒芯
【図１】
2004261480.tif 000003
【図２】
2004261480.tif 000004
【図３】
2004261480.tif 000005
【図４】
2004261480.tif 000006
【図５】
2004261480.tif 000007
【図６】
2004261480.tif 000008
【図７】
2004261480.tif 000009
【図８】
2004261480.tif 000010
【図９】
2004261480.tif 000011
【図１０】
2004261480.tif 000012